(57)【要約】【課題】マイナスイオン水を効率よく作り出せる活水器を提供する。【解決手段】活水器本体１が着脱自在に載置される設置台８内にモーター１２によって駆動されるマグネット１４を設け、活水器本体１内のタンク３の底部に上記マグネット１４とマグネットカップリングをなすマグネット１８を回転自在に設け、このマグネット１８が固着されるポンプシャフト１７にポンプブレード２１を固着し、ポンプ２２の取水口２３から取り込まれたタンク３内の水３４をパイプによって活水器本体１上方のドーム３１に導き、このドーム３１の下面部に突設されたリブ３２によってドーム３１に噴射された水を泡末状に砕いてマイナスイオン水を作り出し、このマイナスイオン水を、タンク３に戻して循環させる。【選択図】        図３
2004313921.tif 000002
【特許請求の範囲】
【請求項１】
活水器本体が着脱自在に載置される設置台内にモーターによって駆動されるマグネットを設け、活水器本体内のタンクの底部に上記マグネットとマグネットカップリングをなすマグネットを回転自在に設け、このマグネットが固着される回転軸にポンプブレードを固着し、ポンプの取水口から取り込まれたタンク内の水をパイプによって活水器本体上方のドームに導き、このドームの下面部に突設されたリブによってドームに噴射された水を泡末状に砕いてマイナスイオン水を作り出し、このマイナスイオン水をタンクに戻して循環させることを特徴とする活水器。
【発明の詳細な説明】
【０００１】
【発明の属する技術分野】
本発明は、マイナスイオン水を作り出す活水器に関する。具体的には水槽内に設置したポンプより発生した水流を上部ドーム型状の蓋に吹き付け、更に蓋内側のリブ状突起に激突させ、細かな泡沫を作り水分子を形成するクラスターを破壊し、クラスター内に取り込まれた不純物を活性炭に吸着せしめ除去し同時に−イオンの発生を促す強制循環水流による活水器に関する。
【０００２】
【従来の技術】
タンク内の水をポンプによって汲み上げて、タンク上方のドームの下面に噴射し、ドーム下面に突設されたリブによって水を泡末状に砕いてマイナスイオン水を作り出す活水器は従来なかった。
【０００３】
【発明が解決しようとする課題】
本発明は、このような従来の技術が有する課題を解決するために提案されたものであり、マイナスイオン水を効率よく作り出せる活水器を提供することを目的とする。
【０００４】
【課題を解決するための手段】
この目的を達成するために本発明による活水器は、活水器本体が着脱自在に載置される設置台内にモーターによって駆動されるマグネットを設け、活水器本体内のタンクの底部に上記マグネットとマグネットカップリングをなすマグネットを回転自在に設け、このマグネットが固着される回転軸にポンプブレードを固着し、ポンプの取水口から取り込まれたタンク内の水をパイプによって活水器本体上方のドームに導き、このドームの下面部に突設されたリブによってドームに噴射された水を泡末状に砕いてマイナスイオン水を作り出し、このマイナスイオン水をタンクに戻して循環させる構成としてある。
【０００５】
【発明の実施の形態】
以下、本発明の実施の形態を図面に基づき詳細に説明する。
図１の斜視図に本発明による活水器の一実施形態を示し、図２に活水器本体の斜視図を示す。また図３に活水器の縦断面図を示し、図４に設置台の縦断面図を示す。
これらの図で、活水器本体１の上側部には、取っ手２が取り付けられており、活水器本体１内は、水３４が満たされるタンク３となっている。タンク上部フレーム４には、蓋５が着脱自在に取り付けられており、この蓋５の上部一側には、注出口６がヒンジ７を支点にして開閉自在に取り付けられている。
【０００６】
活水器本体１が着脱自在に設置される設置台８内には、ベースカバー９と載置板１０間にモーターホルダー１１上のモーター１２と、このモーター１２の出力軸１３に固着されたフェライトマグネット１４とが配設されている。
設置台８の載置板１０上の縁部には、活水器本体１の下部縁部に突設された位置合せ用の円形突起１５が嵌まり込む円形溝１６が刻設されている。
【０００７】
また、図５および図６に示すように活水器本体１のタンク３内の底部には、ポンプシャフト１７に固着されたフェライトマグネット１８がポンプハウジングカバー１９上方に回転自在に取り付けられており、ポンプハウジング２０内には、ポンプシャフト１７に固着されたポンプブレード２１が配設されている。設置台８側のフェライトマグネット１４とポンプ２２側のフェライトマグネット１８とは、マグネットカップリングを構成しており、モーター１２によりフェライトマグネット１４が回転することで、ポンプ２２側のフェライトマグネット１８が回転し、ポンプブレード２１が回転するようになっている。
ポンプハウジング２０の下部に開口する取水口２３には、麦飯石カートリッジ２４が配設されている。図中、２５はカートリッジカバーである。
【０００８】
ポンプハウジング２０の上部開口部には、ハウジングスリーブ２６が固着されており、このハウジングスリーブ２６の上部開口部には、ジョイントパイプ２７が固着されている。ジョイントパイプ２７の上端部には、カートリッジカバー２８の上方に開口した噴出し口２９が接続されている。図中、３０は活性炭カートリッジである。
ジョイントパイプ２７の噴出し口２９の上方位置の蓋５には、図７および図８に示すように上方に膨出するドーム３１が形成されている。このドーム３１の下面部には、図９および図１０に示すようにリブ３２が弧状に突設されている。図中、３３は噴射された水を下方に導くスカート部である。
【０００９】
このように構成される活水器では、活水器本体１を設置台８上に載置した場合に、モーター１２の回転力がマグネットカップリングを介してポンプブレード２１に伝達され、麦飯石カートリッジ２４を介して取水口２３より取り込まれたタンク３内の水３４が、勢いよく回転するポンプブレード２１によって上方に噴き上げられる。上方に噴き上げられた水は、ハウジングスリーブ２６、ジョイントパイプ２７を介して噴出し口２９より、ドーム３１内の下面部に向けて噴出される。このとき水は、リブ３２に当たって小さな泡末状となり、水分子のかたまりであるクラスターが砕けてマイナスイオンが発生する。
マイナスイオン水は、活性炭カートリッジ３０を通過する際にろ過され、タンク３内に戻されて循環される。
【００１０】
【発明の効果】
以上説明したように本発明によれば、タンク内の水をポンプによって汲み上げてドームの下面に噴射し、このドームの下面に突設されたリブによって水を泡末状に砕いてマイナスイオン水を作り出すようにしたので、効率よく水をマイナスイオン水化できるという利点がある。
この発明に係る強制循環水流による活水器は、水槽内に設置したポンプより発生した水流を上部ドーム型状の蓋に吹き付け、更に蓋内側のリブ状突起に激突させ、細かな泡沫を作り水分子を形成するクラスターを破壊し、クラスター内に取り込まれた不純物を活性炭に吸着せしめ除去し同時にマイナスイオンの発生を促すものである。
【図面の簡単な説明】
【図１】本発明による活水器の一実施形態を示す斜視図である。
【図２】活水器本体を示す斜視図である。
【図３】上記活水器の縦断面図である。
【図４】設置台の縦断面図である。
【図５】活水器本体内のポンプ部を示す断面図である。
【図６】蓋を取り外して示す活水器本体の縦断面図である。
【図７】蓋の斜視図である。
【図８】蓋底部を示す斜視図である。
【図９】ドームの底面図である。
【図１０】図９のＡ−Ａ線断面図である。
【符号の説明】
１  活水器本体
２  取っ手
３  タンク
４  タンク上部フレーム
５  蓋
６  注出口
７  ヒンジ
８  設置台
９  ベースカバー
１０  載置板
１１  モーターホルダー
１２  モーター
１３  出力軸
１４  フェライトマグネット
１５  円形突起
１６  円形溝
１７  ポンプシャフト
１８  フェライトマグネット
１９  ポンプハウジングカバー
２０  ポンプハウジング
２１  ポンプブレード
２２  ポンプ
２３  取水口
２４  麦飯石カートリッジ
２５  カートリッジカバー
２６  ハウジングスリーブ
２７  ジョイントパイプ
２８  カートリッジカバー
２９  噴出し口
３０  活性炭カートリッジ
３１  ドーム
３２  リブ
３３  スカート部
３４  水
【図１】
2004313921.tif 000003
【図２】
2004313921.tif 000004
【図３】
2004313921.tif 000005
【図４】
2004313921.tif 000006
【図５】
2004313921.tif 000007
【図６】
2004313921.tif 000008
【図７】
2004313921.tif 000009
【図８】
2004313921.tif 000010
【図９】
2004313921.tif 000011
【図１０】
2004313921.tif 000012